(57)【要約】【課題】現金を封入したバッグが投入され、バッグを収納する入金用金庫に関し、精査処理をアウトソースしても、不正や盗難を防止する。【解決手段】現金バッグ（９２）が投入されるバッグ投入部（６）と、回収可能なカセット（５０）を収容するカセット収容部（７）と、制御部（９）とを設け、カセットの脱着操作のみで回収を行い、現金バックの未回収（残留）の危険性が防止し、カセットに、収納された現金バックの情報（個数等）が記憶するため、現金バッグのチエックが可能となる。更に、バッグの投入時に、受入可能なバックのみを選定し受け入れるため、間違った投入が無くなり、後処理の煩わしさを解消できる。【選択図】図３
2005115804.tif 000002
【特許請求の範囲】
【請求項１】
現金を封入したバッグが投入され、前記バッグを収容する入金用金庫において、
投入されたバッグを受ける受け入れ部と、前記受け入れ部の前記バッグの記憶部の情報を読み取るリーダとを有するバッグ投入部と、
前記受け入れ部に投入されたバッグを収納し、且つ記憶部を有する交換可能なカセットを収容するカセット収容部と、
前記バッグ投入部の前記リーダからの前記読み取り情報により、受け入れ可否を判定し、且つ受け入れ可のバッグを前記カセットに収納する制御部とを有し、
前記制御部は、前記カセットの記憶部に、前記収納されたバッグの情報を書き込む
ことを特徴とする入金用金庫。
【請求項２】
前記バッグ投入部は、前記受け入れ部が前記バッグを垂直方向に受け入れように、引き出し可能に構成され、
前記制御部は、前記バッグ投入部が引き出された後、戻されたことを検出して、前記リーダからの前記読み取り情報を受ける
ことを特徴とする請求項１の入金用金庫。
【請求項３】
前記カセットは、前記受け入れ部からの前記バッグを受け入れるための口を覆う扉を有し、
前記カセット収容部は、前記挿入されたカセットの前記扉を開放するためのカセットロック機構を有する
ことを特徴とする請求項１の入金用金庫。
【請求項４】
現金を封入したバッグが投入され、前記バッグを収容する入金用金庫の制御方法において、
前記バッグを受けるバッグ投入部に投入された前記バッグの記憶部の情報を読み取るステップと、
前記読み取り情報により、受け入れ可否を判定するステップと、
受け入れ可のバッグを、記憶部を有するカセットに収納するステップと、
前記カセットの記憶部に、前記収納されたバッグの情報を書き込むステップとを有する
ことを特徴とする入金用金庫の制御方法。
【請求項５】
前記収納ステップは、前記バッグを前記投入部から前記カセットへ収納するためのシャッタ機構を動作して、前記受け入れ可のバッグを前記カセットに収納するステップからなる
ことを特徴とする請求項４の入金用金庫の制御方法。
【請求項６】
前記読み取りステップは、前記バッグを垂直方向に受け入れように、引き出し可能に構成された前記バッグ投入部が引き出された後、戻されたことを検出して、前記リーダからの前記読み取り情報を読み取るステップからなる
ことを特徴とする請求項４の入金用金庫の制御方法。
【請求項７】
現金を封入したバッグが投入され、前記バッグを収容する入金用金庫を使用した入金システムにおいて、
投入されたバッグを受ける受け入れ部と、前記受け入れ部の前記バッグの記憶部の情報を読み取るリーダとを有するバッグ投入部と、前記受け入れ部に投入されたバッグを収納し、且つ記憶部を有する交換可能なカセットを収容するカセット収容部と、前記バッグ投入部の前記リーダからの前記読み取り情報により、受け入れ可否を判定し、且つ受け入れ可のバッグを前記カセットに収納する制御部とを有し、前記制御部は、前記カセットの記憶部に、前記収納されたバッグの情報を書き込む入金用金庫と、
運搬された前記カセットの前記記憶部の情報と、前記カセット内の前記バッグの記憶部の情報とを読み取り、精査処理を行う精査処理装置とを有する
ことを特徴とする入金システム。
【請求項８】
前記バッグ投入部は、前記受け入れ部が前記バッグを垂直方向に受け入れように、引き出し可能に構成され、
前記制御部は、前記バッグ投入部が引き出された後、戻されたことを検出して、前記リーダからの前記読み取り情報を受ける
ことを特徴とする請求項７の入金システム。
【請求項９】
現金を封入したバッグを受けるバッグ投入部に投入された前記バッグの記憶部の情報を読み取るステップと、
前記読み取り情報により、受け入れ可否を判定するステップと、
受け入れ可のバッグを、記憶部を有するカセットに収納するステップと、
前記カセットの記憶部に、前記収納されたバッグの情報を書き込むステップと、
取り出された前記カセットの前記記憶部の情報と、前記カセット内の前記バッグの記憶部の情報とを読み取り、精査処理を行う精査処理ステップとを有すること
を特徴とする入金処理方法。
【請求項１０】
前記収納ステップは、前記バッグを前記投入部から前記カセットへ収納するためのシャッタ機構を動作して、前記受け入れ可のバッグを前記カセットに収納するステップから
なることを特徴とする請求項９の入金処理方法。
【発明の詳細な説明】
【技術分野】
【０００１】
本発明は、小売店、大規模店等の店舗での売上金を金融機関に入金するための入金用金庫、入金用金庫の制御方法、入金用金庫を利用した入金システム及びその方法に関し、特に、売上金を店舗関係者以外の委託会社に委託して、金融機関に入金するための入金用金庫、入金用金庫の制御方法、入金用金庫を利用した入金システム及びその方法に関する。
【背景技術】
【０００２】
小売店、大規模店舗等において、現金、金券等の売上金を入金保管し、金融機関等に入金することが必要である。このような店舗内での入金処理において、現金等を店舗内で保管することは、店舗での警備等が必要となり、盗難事件等の多発を招くおそれがある。又、店舗内で入金処理するのは、計数機能を持つ金庫を必要とし、店舗での運用コストを招く。
【０００３】
又、銀行の夜間金庫を利用し、閉店後、売上金を専用バッグに詰め、夜間金庫に投入する方法が採用されている（例えば、特許文献１、２参照）。しかし、近年、銀行の採算性等の要因により、夜間金庫が減少しつつあるため、店舗近傍に夜間金庫が存在しない場合が多い。このため、近年の強奪事件の多発等に鑑み、夜間投入が危険な状態となっている。
【０００４】
このような状況から、店舗での入金処理の一部を、警備及び運送会社へ委託し、店舗から金融機関へ売上金を運送する方法が採用されている。図２１は、従来の店舗の売上金入金処理システムの説明図である。小売店等の店舗１００では、販売スペースに、ドロワ付きＰＯＳ端末（Point Of Sales Terminal)１０２を設け、商品登録、売上処理する。店舗１００のバックヤードでは、出納業務者１０４が、ＰＯＳ端末１０２のドロワ内の売上現金、金券の出納業務を行い、例えば、１日分の現金、金券をまとめて、搬送用金庫等に収納する。
【０００５】
店舗１００は、この現金の金融機関１１０への運送を、現金搬送の信頼性のある現金運送会社１２０に委託し、現金が収納された搬送用金庫を、金融機関１１０に運送する。金融機関１００では、運送会社１２０で運送された現金の精査業務１１２を現金計数機やコンピュータを使用して、実行し、顧客ファイル１１４に預金データを格納する。又、小売に必要な小銭等の両替を行い、両替金を搬送会社又は自己で、小売店１００に運送する。
【特許文献１】実開平５−０４４８９６号公報
【特許文献２】特開昭５５−０９７６６１号公報
【発明の開示】
【発明が解決しようとする課題】
【０００６】
この従来技術では、現金運送の危険性は少なくなるが、店舗１００内で、ＰＯＳ端末からの売上データと実際の現金、金額との照合等で出納業務を行う必要があり、特に、店舗内に、多数のＰＯＳ端末が設置されている場合には、その負担が多大である。
【０００７】
このため、店舗に、金庫を設置し、各ＰＯＳ端末で集金した現金をバッグに詰め、金庫内に投入して置き、金庫内の現金バッグを警備搬送会社へ運送委託して、出納業務をアウトソースすることが考えられるが、委託会社での回収時や運搬時に、現金バッグの紛失等の危険性がある。
【０００８】
又、間違ったバッグ等の投入が有り得るため、現金バッグの回収時の支障となる。このため、結局、店舗１００で、現金バッグを管理する手間が生じる。
【０００９】
従って、本発明の目的は、出納業務をアウトソースしても、安全に入金可能な入金用金庫、入金用金庫の制御方法、入金用金庫を利用した入金システム及びその方法を提供することにある。
【００１０】
又、本発明の他の目的は、出納業務をアウトソースしても、現金バッグの回収時や運搬時の紛失を自動チエックすることが可能な入金用金庫、入金用金庫の制御方法、入金用金庫を利用した入金システム及びその方法を提供することにある。
【００１１】
更に、本発明の他の目的は、出納業務をアウトソースしても、現金バッグの回収時の支障を防止するための入金用金庫、入金用金庫の制御方法、入金用金庫を利用した入金システム及びその方法を提供することにある。
【課題を解決するための手段】
【００１２】
この目的の達成のため、本発明の入金用金庫は、現金を封入したバッグが投入され、前記バッグを収容する入金用金庫において、投入されたバッグを受ける受け入れ部と、前記受け入れ部の前記バッグの記憶部の情報を読み取るリーダとを有するバッグ投入部と、前記受け入れ部に投入されたバッグを収納し、且つ記憶部を有する交換可能なカセットを収容するカセット収容部と、前記バッグ投入部の前記リーダからの前記読み取り情報により、受け入れ可否を判定し、且つ受け入れ可のバッグを前記カセットに収納する制御部とを有し、前記制御部は、前記カセットの記憶部に、前記収納されたバッグの情報を書き込む。
【００１３】
又、本発明の制御方法は、現金を封入したバッグが投入され、前記バッグを収容する入金用金庫の制御方法において、前記バッグを受けるバッグ投入部に投入された前記バッグの記憶部の情報を読み取るステップと、前記読み取り情報により、受け入れ可否を判定するステップと、受け入れ可のバッグを、記憶部を有するカセットに収納するステップと、前記カセットの記憶部に、前記収納されたバッグの情報を書き込むステップとを有する。
【００１４】
又、本発明の入金システムは、現金を封入したバッグが投入され、前記バッグを収容する入金用金庫を使用した入金システムにおいて、投入されたバッグを受ける受け入れ部と、前記受け入れ部の前記バッグの記憶部の情報を読み取るリーダとを有するバッグ投入部と、前記受け入れ部に投入されたバッグを収納し、且つ記憶部を有する交換可能なカセットを収容するカセット収容部と、前記バッグ投入部の前記リーダからの前記読み取り情報により、受け入れ可否を判定し、且つ受け入れ可のバッグを前記カセットに収納する制御部とを有し、前記制御部は、前記カセットの記憶部に、前記収納されたバッグの情報を書き込む入金用金庫と、運搬された前記カセットの前記記憶部の情報と、前記カセット内の前記バッグの記憶部の情報とを読み取り、精査処理を行う精査処理装置とを有する。
【００１５】
又、本発明の入金処理方法は、現金を封入したバッグを受けるバッグ投入部に投入された前記バッグの記憶部の情報を読み取るステップと、前記読み取り情報により、受け入れ可否を判定するステップと、受け入れ可のバッグを、記憶部を有するカセットに収納するステップと、前記カセットの記憶部に、前記収納されたバッグの情報を書き込むステップと、取り出された前記カセットの前記記憶部の情報と、前記カセット内の前記バッグの記憶部の情報とを読み取り、精査処理を行う精査処理ステップとを有する。
【００１６】
更に、本発明では、好ましくは、前記バッグ投入部は、更に、前記バッグを前記受け入れ部から前記カセットへ収納するためのシャッタ機構を有し、前記制御部は、前記シャッタ機構を動作して、前記受け入れ可のバッグを前記カセットに収納する。
【００１７】
更に、本発明では、好ましくは、前記バッグ投入部は、前記受け入れ部が前記バッグを垂直方向に受け入れように、引き出し可能に構成され、前記制御部は、前記バッグ投入部が引き出された後、戻されたことを検出して、前記リーダからの前記読み取り情報を受ける。
【００１８】
更に、本発明では、好ましくは、前記バッグ投入者の識別データを入力する入力部と、前記バッグ投入部をロックするロック機構とを更に有し、前記制御部は、前記入力された識別データの正当性を判定し、前記ロック機構のロックを解除する。
【００１９】
更に、本発明では、好ましくは、前記カセットは、前記受け入れ部からの前記バッグを受け入れるための口を覆う扉を有し、前記カセット収容部は、前記挿入されたカセットの前記扉を開放するためのカセットロック機構を有する。
【００２０】
更に、本発明では、好ましくは、前記カセットロック機構は、前記カセットを前記カセット収容部から取り出す時に、前記扉を閉鎖する。
【発明の効果】
【００２１】
本発明の入金用金庫では、回収はカセットの脱着操作のみであり、現金バックの未回収（残留）の危険性が無くなる。又、カセットに、収納された現金バックの情報（個数等）が記憶されているため、現金バッグのチエックが可能となる。更に、カセットを開ける事が出来ない為、運搬時の盗難を防止する事ができる。
【００２２】
しかも、金庫への投入時に、受入可能なバックのみを選定し受け入れるため、間違った投入が無くなり、後処理の煩わしさを解消できる。このため、安全に出納業務をアウトソースすることができる。
【発明を実施するための最良の形態】
【００２３】
以下、本発明の実施の形態を、入金処理システム、入金用金庫、入金用金庫の制御方法、他の実施の形態の順で説明する。
【００２４】
［入金処理システム］
図１は、本発明の一実施の形態の入金処理システムの構成図である。図１に示すように、小売店（店舗）１には、販売スペースに、単数又は複数のドロワ付きＰＯＳ端末（Point Of Sales Terminal)１を、バックヤードには、入金用金庫５とが設けられている。ＰＯＳ端末１は、周知のように、販売商品の商品登録、合計金額計算、レシート発行及びドロワ（現金収納トレイ）の制御を行なう。
【００２５】
入金用金庫５は、図２以降で後述するように、現金を入れたバッグを投入する引出し型投入部と、投入されたバッグの情報を読み取るリーダー部と、交換可能なカセット５０と、カセット５０に設けられた記憶部とを有する。操作者は、引出し型の投入部にバックをセットし、引出し部を押し込む事で投入を行い、投入されたバックの情報をリーダー部が読み取る。制御部は、読み取られたデータを元に、そのバックが、装置の記憶部に予め記憶されたデータと合致した場合のみ受入を行なう。受け入れられたバックは、下部のカセット５０に収納されると共に、カセット５０の記憶部に該当のバックが収納された事を制御部より書き込む。
【００２６】
又、カセット５０は、金庫内にセットされた状態では収納扉が開いておりバックの収納が可能であるが、カセット５０を取り出す時には、収納扉を閉じないとカセット５０が取り出せない。このカセット５０は、取り出した以降は、鍵等により限定された人でしか開ける事が出来ない構造である。
【００２７】
この現金カセットの運送を委託された現金運送会社２の係員は、店舗１において、金庫５からカセット５０を取り出し、交換カセットをセットし、運送用自動車２０で、現金運送会社２に運送する。現金運送会社２には、コンピュータ２４を含む精査業務処理装置２２が設けられている。
【００２８】
この精査業務処理装置２２は、運送されたカセット５０の記憶部の内容を読み取り、且つカセット５０内の現金バッグの記憶部の内容を読み取り、両内容を照合する。これにより、アウトソースしても、現金バッグの紛失の有無をチエックできる。
【００２９】
そして、精査業務処理装置２２は、現金計数機で、現金バッグ内の現金を計数し、コンピュータ２４で、店舗１のＰＯＳ端末４を含むコンピュータシステムから受けた操作データ（ＰＯＳ端末４の操作データ）の現金データと計数結果とを照合して、現金精査処理を実行する。
【００３０】
現金運送会社２の係員は、精査した現金を金融機関３に持ち込み、その店舗の口座に預金する。必要なら、現金運送会社２のコンピュータから金融機関３に売上金額データを送信する。金融機関３では、コンピュータシステムの顧客ファイル１１４に預金データを格納する。又、小売に必要な小銭等の両替金は、現金運送会社が、小売店１００に運送する。
【００３１】
このように、店舗１内の入金金庫４を使用することにより、回収はカセット５０の脱着操作のみであり、現金バックの未回収（残留）の危険性が無くなる。又、カセット５０に、収納された現金バックの情報（個数等）が記憶されているため、現金バッグのチエックが可能となる。更に、カセット５０を開ける事が出来ない為、運搬時の盗難を防止する事ができる。
【００３２】
しかも、金庫４への投入時に、受入可能なバックのみを選定し受け入れるため、間違った投入が無くなり、後処理の煩わしさを解消できる。このため、安全に出納業務をアウトソースすることができる。
【００３３】
［入金用金庫］
次に、図１に示した店舗１の入金用金庫５の構成を詳細に説明する。図２は、図１の入金用金庫５の正面図、図３は、図２の入金用金庫５の断面図、図４は、図２の入金用金庫の金庫扉を開放した状態の正面図、図５は、図３の入金用金庫のカセット収納部の上面図である。
【００３４】
図２に示すように、入金用金庫５は、上段に、オペレーション部、中段に、引き出し型投入部６、下段に、カセット収納部７を有する。オペレーション部には、カードリーダ８０、テンキー８２、表示部及びインデケータ群８４、ファンクションキー群８６が設けられている。カードリーダ８０は、現金運送会社のカセット交換員に付与されたＩＤカードを読み取る。
【００３５】
テンキー８２は、店舗１の店員が現金バッグの投入時（引渡し時）に、店ＩＤを入力し、且つカセット交換員が、暗証番号等を入力するためのものである。表示部及びインデケータ群８４は、テンキーで入力された内容を表示する表示部と、装置の動作状態（バッグチエック、バッグ収納、取引完了）と装置の異常個所（引き出し状態、バッグ読み取り、バッグ収納、金庫保管状態、レシート切れ等）とをランプ表示するインデケータ群とで構成される。
【００３６】
ファンクションキー群８６は、回収開始指示キー、引渡し開始指示キー、再引渡し指示キー、確定キー等で構成される。オペレーション部には、更に、店舗用にバラ銭を収容する鍵付き保管庫８８が設けられている。
【００３７】
次に、引き出し型投入部６には、引き出し用取手６０と、レシートを印刷し、且つ発行するレシートプリンタ６２とが設けられている。又、カセット収容部７には、金庫扉７２と、扉開閉用取手７０とが設けられている。
【００３８】
図３の断面図に示すように、オペレーション部には、制御回路を搭載したプリント板９（以下、制御部という）が設けられる。引き出し型投入部６は、引き出し用取手６０を有する引き出しトレイ６１に、現金（収納）バッグ９２を垂直方向に収容するバッグ投入部６８と、バッグ投入部６８の下面に設けられたシャッタ６４と、引き出しトレイ６１の下面をガイドするガイドローラ６６と、引き出しトレイ６１のロック機構６３と、シャッタ６４のロック解除機構６５とを有する。
【００３９】
又、現金バッグ９２の側面には、バッグの情報を記憶した記憶部が設けられている。この記憶部には、非接触でリード／ライト可能なＩＣ（Integrated Circuit）タグが好適である。又、バッグ投入部６８の側面には、バッグ９２の記憶部を非接触で読み取り、書込む読み取り／書込み機構（アンテナを含む）６７が設けられている。
【００４０】
カセット収容部７には、バッグ収容のためのカセット５０と、カセット５０をロックし、且つカセット５０の上面の扉５２を開放するためのカセットロック機構７４とを有する。このカセット５０の側面には、収納されたバッグの情報を記憶した記憶部５４が設けられている。この記憶部５４には、非接触でリード／ライト可能なＩＣ（Integrated Circuit）タグが好適である。又、カセット収容部７には、カセット５０の記憶部５４を非接触で読み取り、書込む読み取り／書込み機構（アンテナを含む）７６が設けられている。
【００４１】
図４及び図５に示すように、金庫扉７２を開放し、カセット５０を収容部７に挿入すると、カセットロック機構７４により、カセット５０の扉ロックが解除され、且つカセット５０の上面扉５２が開放される。これにより、カセット５０は、引き出しトレイ６１の現金バッグ９２を受け入れ可能となる。
【００４２】
次に、この入金用金庫５の操作を、図６乃至図９で説明する。図６は、バッグ投入（引渡し）操作フロー図、図７は、その動作説明図である。
【００４３】
（Ｓ１０）店舗１の操作者（店員）は、ファンクションキー群８６の引渡ボタンを押し、引渡し操作を開始する。
【００４４】
（Ｓ１１）次に、操作者は、テンキー８２で店ＩＤ番号を入力し、ファンクションキー群８６の確定キーを押す。この店ＩＤ番号は、制御部９で正当性がチエックされる。尚、入力された店ＩＤ番号は、表示部で表示され、正当でない場合には、入力エラーランプが点滅する。その場合には、店ＩＤ番号の再入力が可能である。
【００４５】
（Ｓ１２）店ＩＤ番号が正当であれば、トレイロック機構６３により、入金トレイ６１のロックが解除される。
【００４６】
（Ｓ１３）次に、操作者は、図７に示すように、入金トレイ６１と矢印Ａ方向に引き出す。
【００４７】
（Ｓ１４）そして、図７に示すように、操作者は、現金を封入した現金バッグ（札袋バッグ）９２を引き出しトレイ６１の投入部６８にセットする。投入部６８は、バッグ９２を垂直方向（縦方向）に収容する。
【００４８】
（Ｓ１５）次に、操作者は、図７の矢印Ｃ方向に、引出しトレイ６１を押し込む。
【００４９】
（Ｓ１６）リーダ／ライタ６７は、投入部６８に投入されたバック９２の記憶部（ＩＣタグ）の有無を判定し、且つ記憶部の情報を読み取り、制御部９は、読み取られたデータ（バッグＩＤ）を元に、そのバック９２が、装置の記憶部に予め記憶されたデータと合致するかを判定する。記憶部が無い場合や合致しない場合には、インデケータのセットエラーランプを点滅し、アラーム音を発する。これにより、ステップＳ１３に戻り、入金トレイ６１の引き出しが可能となる。即ち、所定のバッグのみ受入を行なう。受け入れられたバック９２の記憶部には、リーダ／ライタ６７により、店ＩＤ番号と投入日時分が書き込まれる。
【００５０】
（Ｓ１７）次に、シャッタのロック解除機構６５を動作して、トレイ６１の投入部６８の下部のシャッタ６４を開放する。
【００５１】
（Ｓ１８）これにより、トレイ６１の投入部６８内の現金バッグ９２は、図７の矢印のように、下部のカセット５０に落下し、収納される。
【００５２】
（Ｓ１９）カセットリーダ／ライタ７６は、カセット５０の記憶部５４に該当のバックが収納された事を書き込む。例えば、カセット５０内の現金バッグ９２の積算個数や、現金バッグ９２のデータを書き込み、確認のため、記憶部５４を読み出す。
【００５３】
（Ｓ２０）次に、トレイロック機構６３で、引き出しトレイ６１をロックする。
【００５４】
（Ｓ２１）最後に、レシートプリンタ６２で、店ＩＤ番号と投入日時分をレシートに印字し、レシートを発行する。
【００５５】
このように、操作者は、引出し型の投入部６８にバック９２をセットし、引出し部６８を押し込む事で投入を行い、投入されたバック９２の情報をリーダー部が読み取る。制御部９は、読み取られたデータを元に、そのバックが、装置の記憶部に予め記憶されたデータと合致した場合のみ受入を行なう。このため、いたずらや間違った物の投入を防止でき、後処理の煩わしさ（正当なバッグとそれ以外の選別等）を防止できる。
【００５６】
又、受け入れられたバック９２は、下部のカセット５０に収納されると共に、カセット５０の記憶部５４に該当のバック９２が収納された事を制御部より書き込む。又、カセット５０は、金庫内にセットされた状態では収納扉が開いておりバックの収納が可能であるが、カセット５０を取り出す時には、収納扉を閉じないとカセット５０が取り出せない。このため、運搬時の盗難を防止できる。
【００５７】
更に、投入部６８は、一方向（縦方向）にバッグ９２を収容するため、バッグ９２の記憶部のリード／ライトが容易となり、且つカセット５０へ落下させても、カセット５０内でバッグ９２を整列させることができ、バッグの散乱を防止するとともに、カセット５０の収容空間を有効に利用できる。
【００５８】
図８は、カセット回収（交換）操作フロー図、図９は、その動作説明図である。
【００５９】
（Ｓ３０）回収者（例えば、現金運送会社又は店舗の回収者）は、ファンクションキー群８６の回収ボタンを押し、回収操作を開始する。
【００６０】
（Ｓ３１）次に、回収者は、ＩＤカードをカードリーダ８０で読み取らせ、又はテンキー８２で、回収者番号を入力し、ファンクションキー群８６の確定キーを押す。この回収者ＩＤ番号は、制御部９で正当性がチエックされる。尚、入力された回収者ＩＤ番号は、表示部で表示され、正当でない場合には、入力エラーランプが点滅する。その場合には、回収者ＩＤ番号の再入力が可能である。
【００６１】
（Ｓ３２）回収者ＩＤ番号が正当であれば、回収者は、暗証番号を入力後、確定キーを押下する。この暗証番号は、制御部９で正当性がチエックされる。尚、入力された暗証番号は、表示部で表示され、正当でない場合には、入力エラーランプが点滅する。その場合には、暗証番号の再入力が可能である。
【００６２】
（Ｓ３３）カセット収容部７のリーダ／ライタ７６は、カセット５０の記憶部５４に、回収者ＩＤ，回収日時分当を書込む。
【００６３】
（Ｓ３４）カセット収容部７の金庫扉７２を、図示しないロック機構により、ロック解除する。
【００６４】
（Ｓ３５）次に、回収者は、図５及び図９に示すように、金庫扉７２を開く。
【００６５】
（Ｓ３６）そして、図９に示すように、回収者は、収容部７内のカセット５０を引き出し、取り出す。この際に、カセット５０の上面扉５２が、カセットロック機構７４により、閉鎖される。
【００６６】
（Ｓ３７）次に、回収者は、空カセット５０を収容部７に挿入し、セットする。
【００６７】
（Ｓ３８）収容部７のリーダ／ライタ７６は、収容部７に挿入されたカセット５０の記憶部５４の情報を読み取り、制御部９は、読み取られたデータ（カセットＩＤ）を元に、そのカセット５０が、装置の記憶部に予め記憶されたデータと合致するかを判定する。合致しない場合には、インデケータのセットエラーランプを点滅し、アラーム音を発する。これにより、ステップＳ３５に戻り、カセット５０の引き出しが可能となる。即ち、所定のカセットのみ受入を行なう。受け入れられたカセット５０の記憶部５４には、リーダ／ライタ７６により、店ＩＤ番号と回収者ＩＤが書き込まれる。
【００６８】
（Ｓ３９）次に、回収者は、金庫扉７２を閉める。
【００６９】
（Ｓ４０）カセット収容部７の図示しないロック機構により、金庫扉７２をロックする。
【００７０】
（Ｓ４１）収容部７のカセットリーダ／ライタ７６は、カセット５０の記憶部５４に店ＩＤ番号を書き込む。
【００７１】
（Ｓ４２）最後に、レシートプリンタ６２で、回収者ＩＤ番号と店ＩＤ番号と回収日時分をレシートに印字し、レシートを発行する。
【００７２】
このように、回収は、カセット５０の交換のみであり、バッグの未回収（残留）の危険性を防止できる。カセット５０に、内部のバッグの情報を記憶しており、カセット５０は、取り出した以降は、鍵等により限定された人でしか開ける事が出来ないため、運搬時の盗難を防止できる。又、バッグにも、記憶部にデータが格納されているため、安全に、カセット５０を引き渡し、収納業務をアウトソースできる。
【００７３】
［入金用金庫の制御方法］
次に、入金用金庫の制御機構及び制御方法を説明する。図１０は、本発明の一実施の形態の入金用金庫のブロック図、図１１乃至図１４は、引き出し型投入部の詳細構成図、図１５及び図１６は、カセット及びカセット収容部の詳細構成図である。
【００７４】
図１０に示すように、前述の引出し型投入部６のトレイロック機構６３、シャッタ開放機構６５、センサ６９、無線タグリーダ／ライタ６７と、前述のカセット収容部７の金庫扉ロック機構７７、センサ７８、無線タグリーダ／ライタ７６とは、データ／アドレスバス２００により、ＭＰＵ（Micro Processor Unit)及びメモリとで構成される制御部９に接続される。
【００７５】
同様に、オペレーション部のテンキー８２、表示部／インデケータ８４、ファンクションキー８６と、レシートプリンタ６２と、カードリーダ８０も、データ／アドレスバス２００により、ＭＰＵ（Micro Processor Unit)及びメモリとで構成される制御部９に接続される。
【００７６】
図１１及び図１４により、引き出し型投入部６の詳細を説明する。図１１は、引き出し型投入部６の断面図、図１２は、引き出し型投入部６の上面図、図１３は、図１２の図の上側から見た図１１及び図１２の機構６３、６５の構成図、図１４は、図１１のシャッタ開放機構６５の構成図である。
【００７７】
図１１及び図１２に示すように、引き出し用取手６０を有する引き出しトレイ６１は、現金（収納）バッグ９２を縦に収容するバッグ投入部６８と、バッグ投入部６８の下面に設けられたシャッタ６４とを有する。又、引き出し型収容部６には、引き出しトレイ６１の下面側に、トレイ６１の下面をガイドし、且つ引き出し時に、シャッタ６４を閉鎖するガイドローラ６６が設けられている。そして、引き出しトレイ６の後方（図の右側９には、引き出しトレイ６１のロック機構６３と、シャッタ６４のロック解除機構６５とが設けられている。
【００７８】
又、バッグ投入部６８に収容される現金バッグ９２の側面には、バッグの情報を記憶した記憶部９４が設けられている。この記憶部には、非接触でリード／ライト可能なＩＣ（Integrated Circuit）タグ９４が好適である。このバッグ投入部６８の側面には、バッグ９２の記憶部９２を非接触で読み取り、書込む読み取り／書込み機構（アンテナを含む）６７が設けられている。
【００７９】
図１２乃至図１４で、引き出しトレイ６１のロック機構６３と、シャッタの開放機構６５を説明する。図１２及び図１３に示すように、引き出しトレイ６１のロック機構６３は、フック６３−１を有するソレノイド６３で構成される。図１２に示すように、引き出しトレイ６１の後面（取手６０と反対側）に、フック６３−１が挿入される係止開口６１−１が設けられている。
【００８０】
引き出しトレイ６１を押し込むと、図１２及び図１４のように、フック６３−１が、引き出しトレイ６１の係止開口６１−１に、ロック機構６３のフック６３−１が挿入される。ここで、フック６３−１の先端は、傾斜面を有するため、引き出しトレイ６１の係止開口６１−１にフック６３−１が入り込み、フック６３−１は、引き出しトレイ６１の後面６１−１をロックする。
【００８１】
一方、ソレノイド６３を駆動し、フック６３−１を軸を中心に回転させると、フック６３−１の後面６１−１のロックが解除される。尚、ソレノイド６３の近傍に、引き出しトレイ６１がセットされたことを検出するセンサ６９が設けられている。
【００８２】
又、図１２及び図１４に示すように、シャッタ開放機構６５は、作動棒６５−１を備えたソレノイド６５と、ソレノイド６５により駆動され、回転するフック６５−２とで構成される。一方、シャッタ６４は、図１１に示すように、引き出しトレイ６１のフレームに軸６４−１を中心に回転可能に取り付けられる。このシャッタ６４の先端は、フック６５−２に係合する係合部６４−２を有する。
【００８３】
従って、図１４の実線に示すように、シャッタ６４の閉鎖状態では、フック６５−２により、シャッタ６４の係合部６４−２がロックされ、シャッタ６４は閉鎖し、現金バッグ９２の保持が可能である。
【００８４】
一方、ソレノイド６５を駆動し、作動棒６５−１を、図１４の右方向に駆動すると、フック６５−２が時計方向に回転し、フック６５−２による係合部６４−２のロックが解除され、図１４の点線のように、シャッタ６４が軸６４−１を中心に反時計方向に回転し、シャッタ６４は開放される。
【００８５】
又、図１１のシャッタ開放状態で、引き出しトレイ６１を引き出す（図１１の左方向に移動する）と、シャッタ６４は、ガイドローラ６６により、図１１の反時計方向に回転し、図１４の実線で示したように、シャッタ６４の係合部６４−２が、フック６５−２に係合し、フック６５−２により、シャッタ６４の係合部６４−２がロックされ、シャッタ６４は閉鎖し、現金バッグ９２の保持が可能となる。
【００８６】
次に、図１５及び図１６により、カセット５０及びカセット収容部７のカセットロック機構７４を説明する。尚、図１５は、カセット５０及びカセットロック機構７４の断面図、図１６は、その上面図である。
【００８７】
図１５及び図１６に示すように、バッグ収容のためのカセット５０は、箱型の形状を成し、上面に、上面扉５２と、扉開閉駆動機構５８−１〜５８−３と、駆動機構５８−１〜５８−３の動作をロックするためのフック５６とが設けられている。
【００８８】
一方、図３でも示したように、カセット収容部７の後面（挿入面と反対面）には、カセットロック機構７４が設けられている。又、このカセット５０の側面には、収納されたバッグの情報を記憶した記憶部５４が設けられている。この記憶部５４には、非接触でリード／ライト可能なＩＣ（Integrated Circuit）タグが好適である。尚、カセット収容部７の後面には、カセット５０の記憶部５４を非接触で読み取り、書込む読み取り／書込み機構（アンテナを含む）７６が設けられている。
【００８９】
扉開閉駆動部材５８−１〜５８−３は、カセット５０のフレームに対し、スライド移動するスライド部材５８−１と、スライド部材５８−１に設けられたフック係合部５８−３と、スライド部材５８−１に駆動される一対の回転アーム５８−２とを有する。この回転アーム５８−２の先端は、上面扉５２と係合している。
【００９０】
一方、カセットロック機構７４は、作動棒で構成され、太部７４−１と、細部７４−２とを有する。図１６に示すように、カセット５０が挿入されると、カセット５０の後面のスライド部材５８−１の穴に、細部７４−２が挿入され、その先端で、カセット５０のフレームに回転可能に取り付けられたフック５６を回転させる（図１５の点線）。
【００９１】
これにより、スライド部材５８−１のロックが解除され、更に、スライド部材５８−１が、太部７４−１に突き当たり、太部７４−１に押され、図１６の右方向にスライドする。これにより、スライド部材５８−１の先端に設けられた一対の回転アーム５８−２が回転し、上面扉５２が開く。即ち、カセット５０は、通常、上面扉５２は閉鎖しているが、カセット５０の収容部７への挿入により、機械的に、上面扉５２が開放する。これにより、現金バッグ９２の受け入れが可能となる。
【００９２】
一方、カセット５０を収容部７から引き出すと、スライド部材５８−１は、図１６の左方向に復帰し、スライド部材５８−１の先端に設けられた一対の回転アーム５８−２を逆方向に回転させ、上面扉５２を閉じる。更に、細部７４−２がカセット５０から抜け、その先端での、フック５６の押圧を解除する。このため、フック５６は、図１５の実線に復帰し、スライド部材５８−１の係合部５８−３と係合し、スライド部材５８−１をロックする。
【００９３】
このため、カセット５０を取り出しても、上面扉５２を開放することが困難となり、バッグの紛失、盗難防止に寄与する。又、機械的な特別の機構であるため、カセット５０を取り出しても、上面扉５２の不正な開放を防止できる。
【００９４】
次に、この入金用金庫５の制御処理を、図１７乃至図２０で説明する。図１７は、バッグ投入（引渡し）処理フロー図、図１８は、現金バッグのＩＣタグのデータ構成図、図１９は、カセットのＩＣタグのデータ構成図である。
【００９５】
（Ｓ１００）制御部（以下、ＭＰＵという）９は、店舗１の操作者（店員）が、ファンクションキー群８６の引渡ボタンを押したことを検出し、引渡しボタンを点灯する。尚、再引渡しボタンの押下を検出すると、引渡しボタンを消灯し、処理を終了する。
【００９６】
（Ｓ１０２）次に、ＭＰＵ９は、テンキー８２での店ＩＤ番号を入力を検出し、登録された店ＩＤ番号と照合し、正当性をチエックする。尚、入力された店ＩＤ番号は、表示部で表示され、正当でない場合には、入力エラーランプが点滅する。その場合には、店ＩＤ番号の再入力が可能である。正当であれば、ＭＰＵ９は、確定ボタンの押下を検出する。
【００９７】
（Ｓ１０４）店ＩＤ番号が正当で、確定ボタンが押下されると、ＭＰＵ９は、トレイロック機構６３のソレノイドを駆動し、フック６３−１による、入金トレイ６１のロックを解除する。そして、ＭＰＵ９は、操作者が、図７に示すように、入金トレイ６１と矢印Ａ方向に引き出したかを、センサ６９の出力により検出する。更に、ＭＰＵ９は、図７に示すように、操作者が、現金を封入した現金バッグ（札袋バッグ）９２を引き出しトレイ６１の投入部６８にセットし、図７の矢印Ｃ方向に、引出しトレイ６１を押し込んだかを、センサ６９の出力により検出する。
【００９８】
（Ｓ１０６）ＭＰＵ９は、リーダ／ライタ６７からの出力により、投入部６８に投入されたバック９２の記憶部（ＩＣタグ）９４の有無を判定する。記憶部９４が無い場合には、バッグのセットが逆方向か所定のバッグが未セットであると判断し、インデケータのセットエラーランプを点滅し、アラーム音を発する。これにより、ステップＳ１０４に戻り、入金トレイ６１の引き出しが可能となる。即ち、所定のバッグのみ受入を行なう。受け入れたバッグ９２の記憶部９４に、図１８に示すように、店ＩＤ番号と投入日時分を書き込む。尚、この場合に、バッグＩＤをリーダ／ライタ６７で読み取り、受け入れ可能なバッグかの判定をすることもできる。
【００９９】
（Ｓ１０８）次に、ＭＰＵ９は、シャッタのロック解除機構（ソレノイド）６５を動作して、図１１乃至図１４で説明したように、トレイ６１の投入部６８下部のシャッタ６４を開放する。これにより、トレイ６１の投入部６８内の現金バッグ９２は、図７の矢印のように、下部のカセット５０に落下し、収納される。ここで、ＭＰＵ９は、引き出し型投入部６に設けられた図示しないシャッタ６４の開放検出センサの出力からシャッタ６４が開放されたことを検出し、収納されたと判断する。
【０１００】
（Ｓ１１０）ＭＰＵ９は、カセットリーダ／ライタ７６により、カセット５０の記憶部５４に該当のバックが収納された事を書き込む。例えば、図１９に示すように、カセット５０内の現金バッグ９２の積算個数や、収納された現金バッグ９２のデータを書き込み、確認のため、記憶部５４を読み出す。更に、トレイロック機構６３で、引き出しトレイ６１をロックする。最後に、ＭＰＵ９は、レシートプリンタ６２で、店ＩＤ番号と投入日時分をレシートに印字し、レシートを発行する。
【０１０１】
このように、操作者は、引出し型の投入部６８にバック９２をセットし、引出し部６８を押し込む事で投入を行い、投入されたバック９２の情報をリーダー部が読み取る。制御部９は、バッグに記憶部９４が有る場合、又、必要なら、読み取られたデータを元に、そのバックが、装置の記憶部に予め記憶されたデータと合致した場合のみ受入を行なう。このため、いたずらや間違った物の投入を防止でき、後処理の煩わしさ（正当なバッグとそれ以外の選別等）を防止できる。
【０１０２】
又、受け入れられたバック９２は、下部のカセット５０に収納されると共に、カセット５０の記憶部５４に該当のバック９２が収納された事を制御部より書き込む。更に、カセット５０は、金庫内にセットされた状態では収納扉が開いておりバックの収納が可能であるが、カセット５０を取り出す時には、収納扉を閉じないとカセット５０が取り出せない。このため、運搬時の盗難を防止できる。
【０１０３】
次に、図１９のカセット回収（交換）処理フロー図を説明する。
【０１０４】
（Ｓ１２０）ＭＰＵ９は、回収者が、ファンクションキー群８６の回収ボタンを押したことを検出し、回収処理を開始する。ＭＰＵ９は、回収ボタンを点灯し、回収者に通知する。尚、回収者が再度、回収ボタンを押下すると、回収ボタンを消灯し、終了する。
【０１０５】
（Ｓ１２２）次に、ＭＰＵ９は、回収者のＩＤカードによるカードリーダ８０からの、又はテンキー８２からの、回収者番号の入力を受け、登録されたカード番号と照合して、この回収者ＩＤ番号の正当性をチエックする。尚、入力された回収者ＩＤ番号は、表示部で表示され、正当でない場合には、入力エラーランプが点滅する。その場合には、回収者ＩＤ番号の再入力が可能である。
【０１０６】
（Ｓ１２４）回収者ＩＤ番号が正当であれば、回収者は、確定キーを押下する。ＭＰＵ９は、これを検出し、カセット収容部７のリーダ／ライタ７６を介し、カセット５０の記憶部５４に、回収者ＩＤ，回収日時分、レベル情報（前回回収）等を書込む。又、図８のステップＳ３２のように、暗証番号を入力させ、制御部９で正当性がチエックしても良い。尚、入力された暗証番号は、表示部で表示され、正当でない場合には、入力エラーランプが点滅する。その場合には、暗証番号の再入力が可能である。
【０１０７】
（Ｓ１２６）ＭＰＵ９は、カセット収容部７の金庫扉７２を、ロック機構７７により、ロック解除する。これにより、回収者は、図５及び図９に示したように、金庫扉７２を開く。ＭＰＵ９は、金庫扉７２の開放検出センサ７８により、金庫扉７２の開放を検出する。
【０１０８】
（Ｓ１２８）そして、ＭＰＵ９は、図９に示すように、回収者が、収容部７内のカセット５０を引き出し、取り出したことを、センサ７８により検出する。この際に、カセット５０の上面扉５２が、カセットロック機構７４により、閉鎖される。次に、ＭＰＵ９は、回収者が、空カセット５０を収容部７に挿入し、セットしたことを、センサ７８により検出する。
【０１０９】
（Ｓ１３０）収容部７のリーダ／ライタ７６は、収容部７に挿入されたカセット５０の記憶部５４の情報を読み取り、制御部９は、カセットＩＤタグ５４の有無を検出する。又、必要に応じて、読み取られたデータ（カセットＩＤ）を元に、そのカセット５０が、装置の記憶部に予め記憶されたデータと合致するかを判定する。カセットＩＤタグ５４を検出しない場合や、合致しない場合には、カセットのセット不良と判断し、インデケータのセットエラーランプを点滅し、アラーム音を発する。これにより、ステップＳ１２６に戻り、カセット５０の引き出しが可能となる。即ち、所定のカセットのみ受入を行なう。
【０１１０】
（Ｓ１３２）次に、ＭＰＵ９は、回収者が、金庫扉７２を閉めたことを、センサ７８により検出する。そして、ＭＰＵ９は、カセット収容部７のロック機構７７により、金庫扉７２をロックする。
【０１１１】
（Ｓ１３４）ＭＰＵ９は、収容部７のカセットリーダ／ライタ７６により、カセット５０の記憶部５４に店ＩＤ番号、回収者ＩＤ番号を書き込む。最後に、レシートプリンタ６２で、回収者ＩＤ番号と店ＩＤ番号と回収日時分をレシートに印字し、レシートを発行する。
【０１１２】
このように、回収は、カセット５０の交換のみであり、バッグの未回収（残留）の危険性を防止できる。カセット５０に、内部のバッグの情報を記憶しており、カセット５０は、取り出した以降は、鍵等により限定された人でしか開ける事が出来ないため、運搬時の盗難を防止できる。又、バッグ９２にも、記憶部９４にデータが格納されているため、安全に、カセット５０を引き渡し、収納業務をアウトソースできる。
【０１１３】
［他の実施の形態］
前述の実施の形態では、カセットの記憶部を無線ＩＣタグで説明したが、他の記憶媒体、例えば、光記憶媒体、磁気記憶媒体を適用できる。又、現金バッグ９２の記憶部９４と、カセット５０の記憶部へ書き込むデータとしては、要するに、カセット５０内のバッグの状態（個数、内容）が判れば良く、他の形態のデータ構成を採用できる。同様に、ＰＯＳ端末は、実施の形態の単機能のＰＯＳ端末に限らず、所謂商品登録処理できるものであれば良い。
【０１１４】
以上、本発明を実施の形態により説明したが、本発明の趣旨の範囲内において、本発明は、種々の変形が可能であり、本発明の範囲からこれらを排除するものではない。
【０１１５】
（付記１）現金を封入したバッグが投入され、前記バッグを収容する入金用金庫において、投入されたバッグを受ける受け入れ部と、前記受け入れ部の前記バッグの記憶部の情報を読み取るリーダとを有するバッグ投入部と、前記受け入れ部に投入されたバッグを収納し、且つ記憶部を有する交換可能なカセットを収容するカセット収容部と、前記バッグ投入部の前記リーダからの前記読み取り情報により、受け入れ可否を判定し、且つ受け入れ可のバッグを前記カセットに収納する制御部とを有し、前記制御部は、前記カセットの記憶部に、前記収納されたバッグの情報を書き込むことを特徴とする入金用金庫。
【０１１６】
（付記２）前記バッグ投入部は、更に、前記バッグを前記受け入れ部から前記カセットへ収納するためのシャッタ機構を有し、前記制御部は、前記シャッタ機構を動作して、前記受け入れ可のバッグを前記カセットに収納することを特徴とする付記１の入金用金庫。
【０１１７】
（付記３）前記バッグ投入部は、前記受け入れ部が前記バッグを垂直方向に受け入れように、引き出し可能に構成され、前記制御部は、前記バッグ投入部が引き出された後、戻されたことを検出して、前記リーダからの前記読み取り情報を受けることを特徴とする付記１の入金用金庫。
【０１１８】
（付記４）前記バッグ投入者の識別データを入力する入力部と、前記バッグ投入部をロックするロック機構とを更に有し、前記制御部は、前記入力された識別データの正当性を判定し、前記ロック機構のロックを解除することを特徴とする付記１の入金用金庫。
【０１１９】
（付記５）前記カセットは、前記受け入れ部からの前記バッグを受け入れるための口を覆う扉を有し、前記カセット収容部は、前記挿入されたカセットの前記扉を開放するためのカセットロック機構を有することを特徴とする付記１の入金用金庫。
【０１２０】
（付記６）前記カセットロック機構は、前記カセットを前記カセット収容部から取り出す時に、前記扉を閉鎖することを特徴とする付記５の入金用金庫。
【０１２１】
（付記７）現金を封入したバッグが投入され、前記バッグを収容する入金用金庫の制御方法において、前記バッグを受けるバッグ投入部に投入された前記バッグの記憶部の情報を読み取るステップと、前記読み取り情報により、受け入れ可否を判定するステップと、受け入れ可のバッグを、記憶部を有するカセットに収納するステップと、前記カセットの記憶部に、前記収納されたバッグの情報を書き込むステップとを有することを特徴とする入金用金庫の制御方法。
【０１２２】
（付記８）前記収納ステップは、前記バッグを前記投入部から前記カセットへ収納するためのシャッタ機構を動作して、前記受け入れ可のバッグを前記カセットに収納するステップからなることを特徴とする付記７の入金用金庫の制御方法。
【０１２３】
（付記９）前記読み取りステップは、前記バッグを垂直方向に受け入れように、引き出し可能に構成された前記バッグ投入部が引き出された後、戻されたことを検出して、前記リーダからの前記読み取り情報を読み取るステップからなることを特徴とする付記７の入金用金庫の制御方法。
【０１２４】
（付記１０）前記バッグ投入者の識別データを入力する入力ステップと、前記入力された識別データの正当性を判定し、前記バッグ投入部のロック機構のロックを解除するステップとを更に有することを特徴とする付記７の入金用金庫の制御方法。
【０１２５】
（付記１１）前記カセットのカセット収納部への挿入に応じて、前記カセットの前記バッグ投入部からの前記バッグを受け入れるための口を覆う扉を開放するステップを更に有することを特徴とする付記７の入金用金庫の制御方法。
【０１２６】
（付記１２）前記カセットを前記カセット収容部から取り出す時に、前記扉を閉鎖するステップを更に有することを特徴とする付記１１の入金用金庫の制御方法。
【０１２７】
（付記１３）現金を封入したバッグが投入され、前記バッグを収容する入金用金庫を使用した入金システムにおいて、投入されたバッグを受ける受け入れ部と、前記受け入れ部の前記バッグの記憶部の情報を読み取るリーダとを有するバッグ投入部と、前記受け入れ部に投入されたバッグを収納し、且つ記憶部を有する交換可能なカセットを収容するカセット収容部と、前記バッグ投入部の前記リーダからの前記読み取り情報により、受け入れ可否を判定し、且つ受け入れ可のバッグを前記カセットに収納する制御部とを有し、前記制御部は、前記カセットの記憶部に、前記収納されたバッグの情報を書き込む入金用金庫と、運搬された前記カセットの前記記憶部の情報と、前記カセット内の前記バッグの記憶部の情報とを読み取り、精査処理を行う精査処理装置とを有することを特徴とする入金システム。
【０１２８】
（付記１４）前記バッグ投入部は、更に、前記バッグを前記受け入れ部から前記カセットへ収納するためのシャッタ機構を有し、前記制御部は、前記シャッタ機構を動作して、前記受け入れ可のバッグを前記カセットに収納することを特徴とする付記１３の入金システム。
【０１２９】
（付記１５）前記バッグ投入部は、前記受け入れ部が前記バッグを垂直方向に受け入れように、引き出し可能に構成され、前記制御部は、前記バッグ投入部が引き出された後、戻されたことを検出して、前記リーダからの前記読み取り情報を受けることを特徴とする付記１３の入金システム。
【０１３０】
（付記１６）前記入金用金庫は、前記バッグ投入者の識別データを入力する入力部と、前記バッグ投入部をロックするロック機構とを更に有し、前記制御部は、前記入力された識別データの正当性を判定し、前記ロック機構のロックを解除することを特徴とする付記１３の入金システム。
【０１３１】
（付記１７）前記カセットは、前記受け入れ部からの前記バッグを受け入れるための口を覆う扉を有し、前記カセット収容部は、前記挿入されたカセットの前記扉を開放するためのカセットロック機構を有することを特徴とする付記１３の入金システム。
【０１３２】
（付記１８）前記カセットロック機構は、前記カセットを前記カセット収容部から取り出す時に、前記扉を閉鎖することを特徴とする付記１７の入金システム。
【０１３３】
（付記１９）現金を封入したバッグを受けるバッグ投入部に投入された前記バッグの記憶部の情報を読み取るステップと、前記読み取り情報により、受け入れ可否を判定するステップと、受け入れ可のバッグを、記憶部を有するカセットに収納するステップと、前記カセットの記憶部に、前記収納されたバッグの情報を書き込むステップと、取り出された前記カセットの前記記憶部の情報と、前記カセット内の前記バッグの記憶部の情報とを読み取り、精査処理を行う精査処理ステップとを有することを特徴とする入金処理方法。
【０１３４】
（付記２０）前記収納ステップは、前記バッグを前記投入部から前記カセットへ収納するためのシャッタ機構を動作して、前記受け入れ可のバッグを前記カセットに収納するステップからなることを特徴とする付記１９の入金処理方法。
【０１３５】
（付記２１）前記読み取りステップは、前記バッグを垂直方向に受け入れように、引き出し可能に構成された前記バッグ投入部が引き出された後、戻されたことを検出して、前記リーダからの前記読み取り情報を読み取るステップからなることを特徴とする付記１９の入金処理方法。
【０１３６】
（付記２２）前記バッグ投入者の識別データを入力する入力ステップと、前記入力された識別データの正当性を判定し、前記バッグ投入部のロック機構のロックを解除するステップとを更に有することを特徴とする付記１９の入金処理方法。
【０１３７】
（付記２３）前記カセットのカセット収納部への挿入に応じて、前記カセットの前記バッグ投入部からの前記バッグを受け入れるための口を覆う扉を開放するステップを更に有することを特徴とする付記１９の入金処理方法。
【０１３８】
（付記２４）前記カセットを前記カセット収容部から取り出す時に、前記扉を閉鎖するステップを更に有することを特徴とする付記２３の入金処理方法。
【産業上の利用可能性】
【０１３９】
このように、本発明の入金用金庫では、回収はカセットの脱着操作のみであり、現金バックの未回収（残留）の危険性が無くなる。又、カセットに、収納された現金バックの情報（個数等）が記憶されているため、現金バッグのチエックが可能となる。更に、カセットを開ける事が出来ない為、運搬時の盗難を防止する事ができる。
【０１４０】
しかも、金庫への投入時に、受入可能なバックのみを選定し受け入れるため、間違った投入が無くなり、後処理の煩わしさを解消できる。このため、安全に出納業務をアウトソースすることができ、店舗の入金処理の負担軽減に寄与する。
【図面の簡単な説明】
【０１４１】
【図１】本発明の一実施の形態の入金処理システムの構成図である。
【図２】図１の入金用金庫の正面図である。
【図３】図２の入金用金庫の断面図である。
【図４】図２の入金用金庫の金庫扉開放時の正面図である。
【図５】図４の入金用金庫の上面図である。
【図６】本発明の一実施の形態のバッグ収納操作フロー図である。
【図７】図６のバッグ収納動作の説明図である。
【図８】本発明の一実施の形態のカセット交換操作フロー図である。
【図９】図８のカセット交換動作の説明図である。
【図１０】本発明の一実施の形態の入金用金庫のブロック図である。
【図１１】図３のバッグ投入部の断面図である。
【図１２】図１１のバッグ投入部の上面図である。
【図１３】図１１のバッグ投入部のロック機構の断面図である。
【図１４】図１１のバッグ投入部のシャッタ開放機構の構成図である。
【図１５】図１１のカセットの断面図である。
【図１６】図１５のカセットの上面図である。
【図１７】本発明の一実施の形態のバッグ収納処理フロー図である。
【図１８】図１７のバッグ記憶部のデータ構成図である。
【図１９】図１７のカセット記憶部のデータ構成図である。
【図２０】本発明の一実施の形態のカセット交換処理フロー図である。
【図２１】従来の店舗の入金システムの説明図である。
【符号の説明】
【０１４２】
１  小売店（店舗）
２  現金運送業者
３  金融機関
４  ＰＯＳ端末
５  入金用金庫
６  バッグ投入部
７  カセット収容部
９  制御部
２０  運送車両
２２  精査処理装置
２４  コンピュータ
３０  預金ファイル
５０  カセット
５２  上面扉
５４  記憶部
９２  現金バッグ
９４  記憶部
８２、８６  キー入力部
８４  表示部
８０  カード入力部
【図１】
2005115804.tif 000003
【図２】
2005115804.tif 000004
【図３】
2005115804.tif 000005
【図４】
2005115804.tif 000006
【図５】
2005115804.tif 000007
【図６】
2005115804.tif 000008
【図７】
2005115804.tif 000009
【図８】
2005115804.tif 000010
【図９】
2005115804.tif 000011
【図１０】
2005115804.tif 000012
【図１１】
2005115804.tif 000013
【図１２】
2005115804.tif 000014
【図１３】
2005115804.tif 000015
【図１４】
2005115804.tif 000016
【図１５】
2005115804.tif 000017
【図１６】
2005115804.tif 000018
【図１７】
2005115804.tif 000019
【図１８】
2005115804.tif 000020
【図１９】
2005115804.tif 000021
【図２０】
2005115804.tif 000022
【図２１】
2005115804.tif 000023